(57)【特許請求の範囲】
【請求項１】
地中を削孔しながら推進する削孔管の先端位置を測定する方法であって、
前記削孔管の推進方向後端の当該削孔管に沿って設けた鋼管内に受信器を設けると共に、前記削孔管の先端が推進する地中の所定の位置に複数の発信器を埋設しておき、
前記各発信器から前記削孔管の先端方向に測定用音波を発信して当該削孔管を伝播する各測定用音波を前記受信器によって受信した後、
当該受信器で受信した各測定用音波を解析して前記削孔管の先端位置を測定することを特徴とする削孔管の先端位置測定方法。
【請求項２】
請求項１に記載の削孔管の先端位置測定方法において、
前記削孔管の先端が推進する地中であって前記各発信器から所定距離離れた位置に第２の受信器を埋設しておき、
前記各発信器から発信される測定用音波を当該第２の受信器で受信して前記地中の測定用音波の伝播速度を測定し、
測定した伝播速度も考慮して前記削孔管の先端位置を測定することを特徴とする削孔管の先端位置測定方法。
【請求項３】
地中を削孔しながら推進する削孔管の先端位置を測定する方法であって、
前記削孔管の推進方向後端に発信器を設けると共に、前記削孔管の先端が推進する地中の所定の位置に複数の受信器を埋設しておき、
前記発信器によって前記削孔管に測定用音波を発生させ、当該削孔管を伝播してその先端から地中に発信される測定用音波を前記各受信器によって受信した後、
前記各受信器で受信した測定用音波を解析して前記削孔管の先端位置を測定することを特徴とする削孔管の先端位置測定方法。
【請求項４】
地中を削孔しながら推進する削孔管の先端位置を測定するシステムであって、
前記削孔管を地中に送り込んでその先端を目的位置まで推進させる削孔管推進手段と、
前記削孔管の先端が推進する地中の所定の位置に埋設され、前記削孔管の先端方向に測定用音波を発信する複数の発信器と、
前記削孔管の推進方向後端の当該削孔管に沿って設けた鋼管内に設けられ、前記各発信器から発信されて当該削孔管の先端から後端に伝播する各測定用音波を受信する受信器と、
前記受信器で受信した各測定用音波を解析して前記削孔管の先端位置を測定する位置測定手段と、を備えたことを特徴とする削孔管の先端位置測定システム。
【請求項５】
地中を削孔しながら推進する削孔管の先端位置を測定するシステムであって、
前記削孔管を地中に送り込んでその先端を目的位置まで推進させる削孔管推進手段と、
前記削孔管の推進方向後端に設けられ、当該後端から削孔管に測定用音波を与える発信器と、
前記削孔管の先端が推進する地中の所定の位置に埋設され、当該削孔管を伝播してその先端から地中に発信される前記測定用音波を受信する複数の受信器と、
前記各受信器で受信した測定用音波を解析して前記削孔管の先端位置を測定する位置測定手段と、を備えたことを特徴とする削孔管の先端位置測定システム。
【発明の詳細な説明】
【技術分野】
【０００１】
本発明は、削孔機によって地中を削孔しながら推進する削孔管の先端位置を測定する方法およびその先端位置測定システムに関するものである。
【背景技術】
【０００２】
従来、地震対策のための地盤改良工法として水平ボーリング技術を用いた薬液注入工法が知られている。
【０００３】
この薬液注入工法は、先端が斜めにカットされた削孔管を専用の削孔機によって地中に送り込み、その削孔管の先端位置を測定しつつ曲がり・直線といった方向制御をしながら目的地点まで削孔（水平ボーリング）する。そして、その削孔管が目的地点に到達したならば、その削孔管内に注入用の管を挿入した後、削孔管を回収し、その注入用の管から薬液を地中に浸透注入して目的地点の地盤改良を行うものである。
【０００４】
このように削孔機による水平ボーリングに際しては、その削孔管の先端位置を正確に測定する必要があるが、この測定方法としては例えば以下の非特許文献１などに開示されているような電磁誘導方式とジャイロ方式とがある。
【０００５】
電磁誘導方式は、バッテリーを内蔵した位置情報発信器を削孔管の先端に装着し、その発信器から発せられる電磁情報を直上の地表面に設けた受信器により検知することで削孔管の先端位置を検出する方法である。
【０００６】
一方、ジャイロ方式は、ケーブル先端に接続したジャイロを削孔経路内に沿って走らせ、測定される３次元方向の加速度により削孔経路や先端位置を算定する方法である。
【先行技術文献】
【非特許文献】
【０００７】
【非特許文献１】大成建設技術センター報  第３９号（２００６）３７−１頁〜３７−５頁、［平成２２年１月１２日検索］、インターネット〈ＵＲＬ：http://www.taisei.co.jp/giken/report/01_2006_39/paper/A039_037.pdf〉
【発明の概要】
【発明が解決しようとする課題】
【０００８】
しかしながら、前記電磁誘導方式では、削孔管の先端に装着した位置情報発信器から発せられる電磁情報を直上の地表面に設けた受信機により検知する方法であるため、地上に大きな構造物がある場所などではその位置を検出するのは困難である。
【０００９】
一方、ジャイロ方式では、削孔管内にジャイロを挿入して計測を行わなければならないため、計測作業性が悪い上に信号ケーブルの断線なども考えられる。
【００１０】
また、小型の削孔機の場合では削孔管も小径となるため、その削孔管先端への位置情報発信器の装着やジャイロの挿入が困難となる。
【００１１】
そこで、本発明はこれらの課題を解決するために案出されたものであり、その目的は小径の削孔管や地上構造物がある場所などであっても正確かつ容易にその先端位置の測定が可能な削孔管の先端位置測定方法および先端位置測定システムを提供するものである。
【課題を解決するための手段】
【００１２】
前記課題を解決するために第１の発明は、
地中を削孔しながら推進する削孔管の先端位置を測定する方法であって、前記削孔管の推進方向後端の当該削孔管に沿って設けた鋼管内に受信器を設けると共に、前記削孔管の先端が推進する地中の所定の位置に複数の発信器を埋設しておき、前記各発信器から前記削孔管の先端方向に測定用音波を発信して当該削孔管を伝播する各測定用音波を前記受信器によって受信した後、当該受信器で受信した各測定用音波を解析して前記削孔管の先端位置を測定することを特徴とする削孔管の先端位置測定方法である。
【００１３】
第２の発明は、
第１の発明において、前記削孔管の先端が推進する地中であって前記各発信器から所定距離離れた位置に第２の受信器を埋設しておき、前記各発信器から発信される測定用音波を当該第２の受信器で受信して前記地中の測定用音波の伝播速度を測定し、測定した伝播速度も考慮して前記削孔管の先端位置を測定することを特徴とする削孔管の先端位置測定方法である。
【００１４】
第３の発明は、
地中を削孔しながら推進する削孔管の先端位置を測定する方法であって、前記削孔管の推進方向後端に発信器を設けると共に、前記削孔管の先端が推進する地中の所定の位置に複数の受信器を埋設しておき、前記発信器によって前記削孔管に測定用音波を発生させ、当該削孔管を伝播してその先端から地中に発信される測定用音波を前記各受信器によって受信した後、前記各受信器で受信した測定用音波を解析して前記削孔管の先端位置を測定することを特徴とする削孔管の先端位置測定方法である。
【００１５】
第４の発明は、
地中を削孔しながら推進する削孔管の先端位置を測定するシステムであって、前記削孔管を地中に送り込んでその先端を目的位置まで推進させる削孔管推進手段と、前記削孔管の先端が推進する地中の所定の位置に埋設され、前記削孔管の先端方向に測定用音波を発信する複数の発信器と、前記削孔管の推進方向後端の当該削孔管に沿って設けた鋼管内に設けられ、前記各発信器から発信されて当該削孔管の先端から後端に伝播する各測定用音波を受信する受信器と、前記受信器で受信した各測定用音波を解析して前記削孔管の先端位置を測定する位置測定手段と、を備えたことを特徴とする削孔管の先端位置測定システムである。
【００１６】
第５の発明は、
地中を削孔しながら推進する削孔管の先端位置を測定するシステムであって、前記削孔管を地中に送り込んでその先端を目的位置まで推進させる削孔管推進手段と、前記削孔管の推進方向後端に設けられ、当該後端から削孔管に測定用音波を与える発信器と、前記削孔管の先端が推進する地中の所定の位置に埋設され、当該削孔管を伝播してその先端から地中に発信される前記測定用音波を受信する複数の受信器と、前記各受信器で受信した測定用音波を解析して前記削孔管の先端位置を測定する位置測定手段と、を備えたことを特徴とする削孔管の先端位置測定システムである。
【発明の効果】
【００１７】
本発明によれば、以下に示すような主な効果を発揮することができる。
（１）従来のように位置情報発信器の装着やジャイロの挿入が困難な小型（小径）の削孔機（削孔管）であってもその先端位置を正確に測定することができる。
（２）削孔管の先端が推進する所定の場所に複数の発信器を埋設しておけば良いことから、地上に大きな構造物がある場所などであってもその先端位置を容易且つ正確に測定することができる。
（３）削孔管内に位置情報発信器やジャイロを挿入する必要がないため、計測作業が極めて容易となる上に位置情報を取得するための信号ケーブルなどの断線も回避できる。
（４）削孔管に対する受信器の脱着作業も短時間で行えるため、削孔管の先端位置測定に要する時間も大幅に短縮できる。
（５）地中に埋設された発信器（既知点）は繰り返し利用できるため、常設が可能となり、その後の位置測定作業がさらに容易となる。
【図面の簡単な説明】
【００１８】
【図１】本発明に係る削孔管の先端位置測定システム１００および先端位置測定方法の第１の実施の形態を示す全体図である。
【図２】本発明に係る削孔管の先端位置測定システム１００および先端位置測定方法の第１の実施の形態を示す概念図である。
【図３】図２中Ａ部を示す部分拡大図である。
【図４】４つの発信器２０，２０，２０，２０の位置と、削孔管Ｃの先端位置との位置関係を示す模式図である。
【図５】削孔管Ｃの先端位置測定の流れを示すフローチャート図である。
【図６】第１の実施の形態の変形例を示す概念図である。
【図７】本発明に係る削孔管の先端位置測定システム１００および先端位置測定方法の第２の実施の形態を示す概念図である。
【図８】（ａ）は図７中Ａ部を示す部分拡大図であり、（ｂ）は図８（ａ）中Ａ部を示す部分拡大図である。
【発明を実施するための形態】
【００１９】
以下、本発明の実施形態を添付図面を参照しながら説明する。
【００２０】
図１および図２は、本発明に係る削孔管の先端位置測定システム１００および先端位置測定方法の第１の実施の形態を示したものである。
【００２１】
図示するようにこの先端位置測定システム１００は、削孔管Ｃを地中に送り込んでその先端を目的位置まで推進させる削孔機１０と、削孔管Ｃの先端が推進する地中の所定の位置に埋設された４つの発信器２０，２０，２０，２０と、削孔管Ｃの推進方向後端側に設けられた受信器３０と、コントローラ４０とから主に構成されている。
【００２２】
削孔機１０は、水平ボーリング工法などに用いられている従来公知のものであり、例えば地表面を走行するクローラー式の移動車台１１上に、削孔管Ｃを地中に送り込む送込機構１２を備えた構成となっている。そして、この削孔機１０によって所定径の削孔管Ｃを任意の位置から任意の角度で地中に送り込んで削孔しながらその削孔管Ｃの先端を目的位置まで推進させるようになっている。
【００２３】
発信器２０，２０，２０，２０は、削孔管Ｃの先端が推進する地中の所定の位置に埋設され、それぞれ同時に削孔管Ｃの先端方向に位置測定用の音波を発信するようになっている。具体的には、図２に示すように削孔管Ｃの先端が推進する地中に、内部中空の一対の埋設管２１，２１をほぼ垂直に打ち込み、それら各埋設管２１，２１内の底部および中間部付近にそれぞれ発信器２０を固定した構造となっている。なお、これら埋設管２１，２１内には、発信器２０からの測定用音波を地中に伝わりやすくするために水が張られており、各発信器２０、２０は各埋設管２１，２１内で水没した状態となっている。
【００２４】
受信器３０は、削孔管Ｃの推進方向後端側に設けられ、前記各発信器２０，２０，２０，２０から発信されて削孔管Ｃの先端から後端側に伝播する各測定用音波を受信するようになっている。具体的には、図３に示すように地上に露出した削孔管Ｃの端部に、例えばΦ５０ｍｍ程度の単管（鋼管）３１を沿わせ、クランプ３２などによって削孔管Ｃと一体化する。そして、この単管３１内に音波を効率良く伝えるための水を満たし、その水中に受信器３０を没入した構造となっている（水による振動伝播の効率化）。なお、図３中３３はこの受信器３０をコントローラ４０に接続するためのケーブルである。
【００２５】
コントローラ４０は、シーケンサ（ＰＬＣ）などの情報処理機器などから構成されており、前記削孔機１０と前記発信器２０，２０，２０，２０と受信器３０とが無線または有線ケーブルなどによって接続されている。そして、このコントローラ４０は、後述するように発信器２０，２０，２０，２０および受信器３０を用いて地中にある削孔管Ｃの先端位置を測定し、その測定結果に応じて削孔機１０を制御するようになっている。なお、このコントローラ４０には、前記各発信器２０，２０，２０，２０の位置および設置深さなどの所定の位置情報やその周辺の地図情報などが予め入力されている。
【００２６】
次に、このような構成をした先端位置測定システム１００を用いた削孔管Ｃの先端位置検出方法の第１実施形態を、主に図５のフローチャート図を参照しながら説明する。
【００２７】
先ず図１に示すように削孔機１０によって削孔管Ｃを地中に送り込み、その先端位置が発信器２０，２０，２０，２０方向に位置したならば、コントローラ４０は、図５の最初のステップＳ１００において、各発信器２０、２０，２０，２０からその削孔管Ｃの先端方向に位置測定用の音波を発信して次のステップＳ１０２に移行する。
【００２８】
ステップＳ１０２では、その直後に受信器３０によって何らかの音波を受信したならば受信した受信音波を解析して次のステップＳ１０４に移行する。
【００２９】
ステップＳ１０４では、これら各発信器２０，２０，２０，２０から発信されて各測定用音波を受信したか否かを判断する。
【００３０】
すなわち、各発信器２０，２０，２０，２０からその削孔管Ｃの先端方向に発信された位置測定用の音波は、地中の土砂を媒体としてこれを伝播してその削孔管Ｃの先端に到達し、その先端から後端側に伝播することになる。そして、受信器３０がこの削孔管Ｃの後端側に伝播してきた位置測定用の音波を受信するため、コントローラ４０は、その音波を解析して全ての位置測定用の音波を受信したか否かを解析する。
【００３１】
ここで全ての位置測定用音波を受信したか否かの判断方法としては特に限定されるものではないが、例えば各発信器２０，２０，２０，２０から同時にそれぞれ周波数の異なる位置測定用音波を発信した場合には、それら全ての周波数の位置測定用音波を受信したか否かを解析することで容易に判断できる。また、各発信器２０，２０，２０，２０が同じ周波数の位置測定用音波をそれぞれ異なるタイミングで別々に発信した場合にも、少なくとも４つの位置測定用音波を受信したか否かを解析することで容易に判断できる。  
そして、このステップＳ１０４において全ての位置測定用音波を受信していないと判断した（Ｎｏ）ならば、最初のステップＳ１００に戻って次の受信音波を受信して解析することになるが、全ての位置測定用音波を受信したと判断したならば、次のステップＳ１０６に移行する。
【００３２】
ステップＳ１０６では、受信した全ての位置測定用音波の発信時間と到達時間とを解析して削孔管Ｃの先端の三次元方向の位置を算出する。
【００３３】
ここで、受信した全ての位置測定用音波の発信時間と到達時間とに基づく位置算出方法としては特に限定されるものではないが、公知の最小二乗法や幾何学的方法を用いることにより容易に算出することが可能となる。
【００３４】
すなわち、図４に示すように予め位置が分かっているＹ軸平面上の４点Ａ、Ｂ、Ｃ、Ｄ（既知点）をそれぞれ各発信器２０、２０，２０，２０の位置と仮定すると共に、これら４点Ａ、Ｂ、Ｃ、Ｄ（既知点）が位置するＹ軸平面からＸおよびＺ方向に離れた位置にあるＸ点を削孔管Ｃの先端位置（未知点）と仮定すると、その間に介在する媒体（地盤：土砂）の伝播速度はいずれも同じであることから、Ｘ点から各点Ａ、Ｂ、Ｃ、Ｄまでの距離ＬＡ、ＬＢ、ＬＣ、ＬＤの大きさに応じて各音波の到達時間が異なってくる。
【００３５】
この媒体（地盤：土砂）の音波の伝播速度および削孔管（鋼管）Ｃの音波の伝播速度（約５０００ｍ／ｓ）は予め分かっているため、各発信器２０，２０，２０，２０からの各位置測定用音波の発信時刻と到達時刻との時間から削孔管（鋼管）Ｃの音波の伝播時間を差し引くことで各発信器２０，２０，２０，２０から削孔管（鋼管）Ｃの先端位置までの距離を算出することができる。
【００３６】
そして、前述したように公知の最小二乗法や幾何学的方法を用いることにより、各発信器２０，２０，２０，２０の位置情報および各発信器２０，２０，２０，２０からの各距離ＬＡ、ＬＢ、ＬＣ、ＬＤの一致する位置（点）を算出することで算出されたその位置を削孔管（鋼管）Ｃの先端位置として特定することができる。
【００３７】
このようにして削孔管Ｃの先端位置が求められたならば、次のステップＳ１０８に移行して、その削孔管Ｃの先端位置が予定された所定の位置にあるか否かを判断する。
【００３８】
すなわち、前記コントローラ４０には削孔管Ｃの推進予定ラインに関する地図情報などが予め記憶されているため、コントローラ４０はステップＳ１０６で算出された現在の削孔管Ｃの先端位置がこの推進予定ラインからどの程度ずれているかを算出することができる。
【００３９】
従って、このステップＳ１０８では、この推進予定ラインに対する現在の削孔管Ｃの先端位置のずれが許容範囲であるときは、削孔管Ｃが目的位置に向かって順調に推進していると判断して（Ｙｅｓ）最初のステップＳ１００に戻って同様な処理を繰り返すことになる。
【００４０】
これに対し、現在の削孔管Ｃの先端位置がこの推進予定ラインから大きくずれていると判断したとき（Ｎｏ）は、次のステップＳ１１０に移行して削孔管Ｃの先端位置がこの推進予定の削孔ライン上に戻るように削孔機１０を制御することになる。なお、コントローラ４０は、測定した位置情報をモニターなどに表示するのみであって削孔機１０の制御はこのモニターを見ながら作業員が手作業で行うようにしても良い。
【００４１】
このように本発明は、複数の発信器２０、２０…から削孔管Ｃの先端方向に測定用音波を発信してこれを伝播する音波をその後端側に設けた受信器３０によって受信するようにしたことから、従来のように位置情報発信器の装着やジャイロの挿入が困難な小型（小径）の削孔機（削孔管）であってもその先端位置を正確に測定することができる。
【００４２】
また、削孔管Ｃが推進する所定の場所に予め複数の発信器２０を埋設しておけば良いことから、地上に大きな構造物がある場所などであってもその先端位置を容易且つ正確に測定することができる。
【００４３】
また、削孔管Ｃ内に位置情報発信器やジャイロを挿入する必要がないため、計測作業が極めて容易となる上に、位置情報を取得するための信号ケーブルなどの断線も回避できる。
【００４４】
また、削孔管Ｃに対する受信器３０の脱着作業も短時間で行えるため、削孔管Ｃの先端位置測定作業に要する労力や時間も大幅に短縮できる。
【００４５】
また、埋設管２１を介して地中に埋設された発信器２０，２０…（既知点）は繰り返し利用できるため、常設が可能となり、その後の位置測定作業がさらに容易となる。
【００４６】
さらに、図６に示すように発信器２０，２０，２０，２０（既知点）の近傍（既知点）に第２の受信器５０、５０をさらに埋設しておき、前記のように発信器２０，２０，２０，２０から発信された測定用音波をこの第２の受信器５０、５０でも受信し、その受信時間を計測することでその付近の地盤（土砂）の音波の伝播速度を正確に求めることができる。
【００４７】
従って、図６に示すような構成にすれば削孔管Ｃの先端付近の地盤の音波の伝播速度を正確に求めることができるため、より精度良く削孔管Ｃの先端位置を測定することができる。
【００４８】
次に、図７および図８は、本発明に係る削孔管の先端位置測定システム１００および先端位置測定方法の第２の実施形態を示したものである。
【００４９】
すなわち、本実施の形態は前記第１の実施形態とは反対に発信器２０と受信器３０の位置を逆にし、削孔管Ｃの先端から地中に埋設された受信器３０側に位置測定用の音波を発信するようにしたものである。
【００５０】
このような構成にあっては、発信器２０および受信器３０共に第１の実施形態で用いたものと同じものであっても良いが、削孔管Ｃの先端から地中側に向けてより大きな音波を発信させるために削孔管Ｃの後端側に設ける発信器２０として、例えば図８に示すように機械的な衝撃音を発生できる打撃方式の発振機を用いることが望ましい。
【００５１】
この発振機２０は、図８（ａ）および（ｂ）に示すように、削孔管Ｃの後端に取り付け可能な接続管２２と、この接続管２２にガスケット２３を介して取り付けられる打撃発生装置２４とから構成されている。また、この打撃発生装置２４は、前記コントローラ４０によって制御されるアクチュエータ２４ａと打撃棒２４ｂとから構成されている。
【００５２】
そして、このアクチュエータ２４ａによって打撃棒２４ｂをガスケット２３の端面に衝突させることで衝撃音を発生させ、その衝撃音が接続管２２を介して削孔管Ｃ側に発信音波として伝播される構成となっている。
【００５３】
従って、本実施の形態では、先端から地中に埋設された複数（４つ）の受信器３０，３０，３０，３０（既知点）に対して位置測定用の音波が同時に発信されるようになるため、この発信時刻と各受信器３０，３０，３０，３０への到達時刻とを検出して解析することで前記第１の実施の形態と同様にその削孔管Ｃの先端の位置を容易且つ正確に測定することができる。
【００５４】
また、本実施の形態では、削孔管Ｃの後端内面に予め形成されたジョイント用のネジ溝（図示せず）を利用して図８（ａ）に示すように発振機２０の接続管２２のネジ部２２ａを螺合させるようにしたため、削孔管Ｃの後端に対して容易に発振機２０を着脱することができる。
【００５５】
また、図８（ａ）に示すようにアクチュエータ２４ａによって動作する打撃棒２４ｂを紡錘状またはその先端を球面状にしたため、大きな衝撃音波を削孔管Ｃに発生させることができる。
【００５６】
なお、前記課題を解決するための手段の欄に記載した発明における削孔管推進手段は、前記第１の実施の形態および本実施の形態の削孔機１０に対応し、同じく発信器、受信器および第２の受信器ならびに位置測定手段は、前記第１の実施の形態および本実施の形態の発信器２０、受信器３０および受信器５０およびコントローラ４０にそれぞれ対応するものである。
【符号の説明】
【００５７】
１００…削孔管の先端位置測定システム
１０…削孔機
１１…移動車台
１２…送込機構
２０…発信器（発振機）
２１…埋設管
２２…接続管
２２ａ…ネジ部
２３…ガスケット
２４…打撃発生装置
２４ａ…アクチュエータ
２４ｂ…打撃棒
３０…受信器
３１…単管（鋼管）
３２…クランプ
３３…ケーブル
４０…コントローラ
５０…（第２の）受信器
Ｃ…削孔管
【図１】
0005466023.tif 000002
【図２】
0005466023.tif 000003
【図３】
0005466023.tif 000004
【図４】
0005466023.tif 000005
【図５】
0005466023.tif 000006
【図６】
0005466023.tif 000007
【図７】
0005466023.tif 000008
【図８】
0005466023.tif 000009